(57)【要約】【課題】組み付け作業性を向上させることができると共に、安定した製品を供給することが可能な電動ポンプを提供する。また、冷却水の漏れを確実に防止することができる電動ポンプを提供する。【解決手段】ハウジング２内に隔壁部７を設け、ハウジング２の内部を隔壁部７を介して内側をモータ室Ｍに、外側をポンプ室Ｐに隔成し、モータ室Ｍに、ステータ１１を設けると共に、ポンプ室Ｐに、ステータ１１に対して回転自在に支持されたロータ２５と、ロータ２５と一体となって共回りするインペラ部３０とを設けた電動ポンプ１において、ハウジング２は、隔壁部７が設けられモータ室Ｍを形成するハウジング本体４と、隔壁部７よりも前方に設けられたカバー５とで構成されており、これらハウジング本体４、およびカバー５をロータ２５の回転軸方向に分割可能に構成し、ハウジング本体４、およびカバー５に、互いをインロー嵌合可能にするインロー部７８を形成した。【選択図】図２
2010156223.tif 000002
【特許請求の範囲】
【請求項１】
ハウジング内に隔壁部を設け、前記ハウジングの内部を隔壁部を介して内側をモータ室に、外側をポンプ室に隔成し、
前記モータ室に、ステータを設けると共に、
前記ポンプ室に、前記ステータに対して回転自在に支持されたロータと、前記ロータと一体となって共回りするインペラとを設けた電動ポンプにおいて、
前記ハウジングは、前記隔壁部が設けられ前記モータ室を形成する第一ハウジングと、前記隔壁部よりも前方に設けられた第二ハウジングとで構成されており、
これら第一ハウジング、および第二ハウジングを前記ロータの回転軸方向に分割可能に構成し、
前記第一ハウジング、および前記第二ハウジングに、互いをインロー嵌合可能にするインロー部をそれぞれ形成したことを特徴とする電動ポンプ。
【請求項２】
前記第一ハウジングの前記インロー部と前記第二ハウジングの前記インロー部との合わせ面に、ラビリンス構造を設けたことを特徴とする請求項１に記載の電動ポンプ。
【請求項３】
前記第二ハウジングの後面に、前記第一ハウジングの前記インロー部との合わせ面を形成する一方、前記第二ハウジングの前面に、外部電源と電気的に接続可能なコネクタ部を設け、
少なくとも前記合わせ面のうちの外部に露出する箇所を充填材で封止したことを特徴とする請求項１または請求項２に記載の電動ポンプ。
【発明の詳細な説明】
【技術分野】
【０００１】
この発明は、例えば、自動車のラジエータ冷却用に使用される電動ポンプに関するものである。
【背景技術】
【０００２】
一般に、電気自動車やハイブリッド車両の車両駆動用モータ、およびモータを制御するコントロールユニットの冷却用やラジエータ用の電動ポンプとして、ウォーターポンプを用いる場合が多い。この種のウォーターポンプは、ケーシングと、ケーシング内部に設けられるステータと、ステータに対して回転自在に設けられたロータと、ロータと一体となって共回りするインペラとを備えている。ステータとロータはアウターロータタイプの電動モータを構成している。
【０００３】
ケーシングは、ボディと、ボディの上側を覆うカバーとを有しており、ボディとカバーとで囲まれる空間がポンプ室として機能している。
ボディの内側には、ステータがモールドされた状態で固定されている。一方、ロータはステータをその前面から覆うように有底筒状に形成されており、ポンプ室に配置されている。すなわち、ステータをモールドした部分がケーシング内をポンプ室とステータが設けられたモータ室とに隔成する隔壁の役割を有している。そして、ロータの上部（前端壁）にはフィンが一体成型され、ロータの上部をインペラとして構成している。
【０００４】
ここで、ボディとカバーには、それぞれの合わせ面にフランジが形成され、これらフランジによってボディとカバーとが互いに着脱自在に組み付けできるようになっている。また、両フランジのうちの一方には、全周に渡って凸条が形成されている一方、他方のフランジには、凸条を受入れ可能な溝が形成されている。これら凸条と溝は、遊嵌可能に形成されており、カバーの芯出し調整を行った後、ボディとカバーとを溶着など施して固定するようになっている（例えば、特許文献１参照）。
【特許文献１】特開２００４−３０８５６２号公報
【発明の開示】
【発明が解決しようとする課題】
【０００５】
しかしながら、上述の従来技術にあっては、ボディとカバーとが両フランジ上で遊嵌され、カバーの芯出し調整を行うようになっているので、芯出し調整が煩わしく、組み付けに時間がかかってしまうという課題がある。
また、作業者によって組み付け状態にばらつきが生じるおそれがあり、安定した製品を供給し難いという課題がある。
さらに、例えば、両フランジ部の溶着などが不十分だった場合などにおいて、両フランジ部の合わせ面から冷却水が漏れるおそれがあるという課題がある。
【０００６】
そこで、この発明は、上述した事情に鑑みてなされたものであって、組み付け作業性を向上させることができると共に、安定した製品を供給することが可能な電動ポンプを提供するものである。
また、冷却水の漏れを確実に防止することができる電動ポンプを提供するものである。
【課題を解決するための手段】
【０００７】
上記の課題を解決するために、請求項１に記載した発明は、ハウジング内に隔壁部を設け、前記ハウジングの内部を隔壁部を介して内側をモータ室に、外側をポンプ室に隔成し、前記モータ室に、ステータを設けると共に、前記ポンプ室に、前記ステータに対して回転自在に支持されたロータと、前記ロータと一体となって共回りするインペラとを設けた電動ポンプにおいて、前記ハウジングは、前記隔壁部が設けられ前記モータ室を形成する第一ハウジングと、前記隔壁部よりも前方に設けられた第二ハウジングとで構成されており、これら第一ハウジング、および第二ハウジングを前記ロータの回転軸方向に分割可能に構成し、前記第一ハウジング、および前記第二ハウジングに、互いをインロー嵌合可能にするインロー部をそれぞれ形成したことを特徴とする。
このように構成することで、第一ハウジングと第二ハウジングとの芯出しを容易に行うことができる。また、作業者によって第一ハウジングと第二ハウジングとの組み付け誤差が生じるのを防止することができる。
【０００８】
請求項２に記載した発明は、前記第一ハウジングの前記インロー部と前記第二ハウジングの前記インロー部との合わせ面に、ラビリンス構造を設けたことを特徴とする。
このように構成することで、インロー部の合わせ面からの冷却水の漏れを確実に防止することができる。
【０００９】
請求項３に記載した発明は、前記第二ハウジングの後面に、前記第一ハウジングの前記インロー部との合わせ面を形成する一方、前記第二ハウジングの前面に、外部電源と電気的に接続可能なコネクタ部を設け、少なくとも前記合わせ面のうちの外部に露出する箇所を充填材で封止したことを特徴とする。
このように構成することで、インロー部の合わせ面からの冷却水の漏れをより確実に防止することができると共に、コネクタ部に冷却水が被水するのを確実に防止することができる。
【発明の効果】
【００１０】
請求項１に記載した発明によれば、第一ハウジングと第二ハウジングとの芯出しを容易に行うことができる。また、作業者によって第一ハウジングと第二ハウジングとの組み付け誤差が生じるのを防止することができる。このため、組み付け作業性を向上させることができると共に、安定した製品を供給することが可能な電動ポンプを提供することが可能になる。
【００１１】
請求項２に記載した発明によれば、インロー部の合わせ面からの冷却水の漏れを確実に防止することができる。このため、第一ハウジングと第二ハウジングとで形成される空間の水密性を高めることができ、信頼性の高い電動ポンプを提供することが可能になる。
【００１２】
請求項３に記載した発明によれば、インロー部の合わせ面からの冷却水の漏れをより確実に防止することができると共に、コネクタ部に冷却水が被水するのを確実に防止することができる。このため、さらに信頼性の高い電動ポンプを提供することが可能になる。
【発明を実施するための最良の形態】
【００１３】
次に、この発明の実施形態を図面に基づいて説明する。なお、以下の説明において図１の上側を前側、図１の下側を後側とする。
図１に示すように、電動ポンプ１は、自動車のラジエータ等に使用されるウォーターポンプであって、ハウジング２内にポンプ部３が設けられたものである。
ハウジング２は樹脂で成型されたものであって、後側に配置されたハウジング本体４と、ハウジング本体４の前側に配置された段付筒状のカバー５とで構成されている。
【００１４】
ハウジング本体４は、有底筒状のベース部４ａと、ベース部４ａの中央の大部分に突設された有底筒状の隔壁部７とが一体成形されたものである。
隔壁部７は、ハウジング２内に２つの部屋を隔成するためのものであって、エンド部（底部）７ａが前方を向いた状態で設けられている。すなわち、ハウジング２内は、隔壁部７を介して内側がモータ室Ｍに、外側がポンプ室Ｐに隔成されている。
【００１５】
隔壁部７のエンド部７ａには、前面側の径方向略中央に凹部８が形成されている。この凹部８の後面側には、後側に向かって突出する支柱９が一体成形されている。この支柱９は、段付円柱状に形成されており、ここにポンプ部３を構成する電動モータ１０のステータ１１が固定されている。
【００１６】
ステータ１１は、円環状のステータコア１２を有している。ステータコア１２は、磁性材料の板材を軸方向に積層して形成したものであって、中央に支柱９を挿通可能な支柱孔１３が形成されている。この支柱孔１３に支柱９が内嵌することでステータ１１は、隔壁部７に固定された状態になる。
また、ステータコア１２には、径方向外側に向かって放射状に突出する複数のティース１４が周方向に等間隔に設けられている。これらティース１４には、それぞれ絶縁性のインシュレータ１５が装着され、このインシュレータ１５を介してコイル１６が巻装されている。
【００１７】
ここで、隔壁部７のエンド部７ａに一体成形された支柱９には、前方に向かって突設する支軸（シャフト）２７の一端がインサート成型されている。支軸２７の突出した部位には、ポンプ部３を構成する電動モータ１０のロータ２５が回転自在に支持されている。
ロータ２５は、ステータ１１をその前方から覆うように有底筒状に形成されたものであって、略円板状に形成されたインペラ部３０と、インペラ部３０の外周縁に後側に向かって突設されたリング状の磁石部３１とが一体成形されている。
【００１８】
インペラ部３０には、径方向略中央に向かうに従って徐々に肉厚になるように形成された軸受けボス３２が設けられている。この軸受けボス３２には、支軸２７を挿通するための挿通孔３３が形成されている。この挿通孔３３は、軸受けボス３２と摺動可能になっている。また、インペラ部３０の前面側には、複数の羽根部５１が立ち上がり形成されている。各羽根部５１は、冷却水を電動ポンプ１外に吐出する役割を有しているものであって、軸受けボス３２の外周面からインペラ部３０の外周側に向かって径方向に延設されており、周方向平面視で扇状を有している。
【００１９】
磁石部３１は、例えば、フェライトボンドなどの磁性粉が含有された樹脂で略円筒状に形成されたものである。磁石部３１は、ステータ１１のティース１４の外周面に対向するように配置されている。また、磁石部３１は、極異方性に配向されている。
【００２０】
ここで、ハウジング本体４のベース部４ａには、外周面の前方寄りに外フランジ部６１が一体成形されており、ここにカバー５が前方からインロー嵌合されるようになっている。
カバー５は、軸方向平面視略四角形状に形成され後面に開口部７１ａを有する箱状のベース部７１と、ポンプ部３を取り囲むように筒状に形成されたポンプカバー部７２とが一体成形されたものである。
【００２１】
ポンプカバー部７２は、ロータ２５の周囲を取り囲む筒状のカバー本体７３と、カバー本体７３の前端側に一体成形された筒状の吸入ポート７４とで構成されている。カバー本体７３の周壁７３ａの内径Ｄ１は、ハウジング本体４のベース部４ａの内径と略一致するように設定されている。そして、カバー本体７３の周壁７３ａの後端に、ハウジング本体４の外フランジ部６１にインロー嵌合される嵌合部７５が形成されている。
【００２２】
嵌合部７５は、カバー本体７３の周壁７３ａよりも段差により拡径された第一拡径部７６と、第一拡径部７６の後端側に設けられ第一拡径部７６よりも段差により拡径された第二拡径部７７とが一体成形されたものである。
【００２３】
第一拡径部７６は、ベース部４ａの外フランジ部６１よりも前端側を外嵌可能に形成されている。一方、第二拡径部７７は、外フランジ部６１を外嵌可能に形成されている。すなわち、ハウジング本体４のベース部４ａ、外フランジ部６１、カバー本体７３の嵌合部７５に形成されている第一拡径部７６、および第二拡径部７７により、ハウジング本体４とカバー５とをインロー嵌合するためのインロー部７８が構成されていることになる。
【００２４】
そして、これらハウジング本体４のベース部４ａ、外フランジ部６１、カバー本体７３の第一拡径部７６、および第二拡径部７７により、インロー部７８のハウジング本体４とカバー５との合わせ面７９には、ラビリンス構造８０が設けられた状態になっている。
また、カバー本体７３の第二拡径部７７は、前方からベース部４ａの外フランジ部６１に外嵌されるので、インロー部７８の合わせ面７９は、後側、つまり、ベース部７１の開口部７１ａ側に露出した状態になる。インロー部７８の露出部分を溶着することにより、ハウジング本体４とカバー５とが一体化される。
【００２５】
カバー５とハウジング本体４とが一体化されると、ポンプカバー部７２のカバー本体７３とベース部４ａの隔壁部７との間に冷却水を通流させるための冷却水路４０が形成される。また、カバー本体７３の前端側には、軸方向平面視で渦巻き状のインペラ室８１が形成されており、このインペラ室８１も冷却水路４０内に形成されていることになる。すなわち、ロータ２５は冷却水路４０内に存在し、かつロータ２５のインペラ部３０は冷却水路４０のうちのインペラ室８１内に存在している状態になる。
さらに、カバー本体７３の外周面には、インペラ室８１の下流側に対応する部位に筒状の吐出ポート４１が設けられている。吐出ポート４１は、インペラ室８１に連通している。
【００２６】
カバー本体７３の前端側に一体成形された筒状の吸入ポート７４は、インペラ室８１の径方向内側に配置された状態になっている。
吸入ポート３７は、インペラ室８１の径方向内側から前方に向かうに従って徐々に先細りとなるように立ち上がり形成されているテーパ筒部４２と、テーパ筒部４２の前端に一体成形された吸入ポート本体４３とで構成されている。吸入ポート３７も吐出ポート４１と同様にインペラ室８１に連通されている。
【００２７】
テーパ筒部４２の内周面には、断面略楕円形状のリブ４４が周方向に等間隔で３箇所形成されている。リブ４４の先端には、円錐状のスピナー４５が一体成形されている。すなわち、スピナー４５は、３つのリブ４４でテーパ筒部４２内に支持された状態になっている。スピナー４５は、先端（先細り部）が前方を向くように配置されており、底面４５ａの中央に支軸２７を挿入可能な挿入凹部４６が形成されている。
【００２８】
つまり、カバー５をハウジング本体４に固定すると同時に、スピナー４５は、何らボルトなどの締結部材を用いることなく、支軸２７の他端に装着された状態になる。スピナー４５が支軸２７の他端に装着されることにより、支軸２７は、ハウジング本体４の隔壁部７に形成されている支柱９とスピナー４５とにより両端が支持され、両持ち状態になる。また、支軸２７にスピナー４５が装着されることにより、ロータ２５の抜け方向への移動が規制される。このように、スピナー４５は、支軸２７を支持する役割と、ロータ２５の抜け方向への移動を規制するための規制部材としての役割とを有している。
【００２９】
このように構成されたポンプカバー部７２には、カバー本体７３の後端に形成されているインロー部７８に、ベース部７１が連結されている。より具体的には、ベース部７１は、このエンド部７１ｂがインロー部７８を構成している第一拡径部７６と第二拡径部７７との間に位置するように設けられ、ベース部７１の開口部７１ａが後側を向いた状態になっている。
【００３０】
ベース部７１のエンド部７１ｂには、コネクタ部１７が前方に向かって突設されている。コネクタ部１７は、外部電源に接続される外部コネクタ（不図示）を嵌着可能に受け入れる接続部１８を有している。接続部１８には、不図示の外部コネクタに電気的に接続されるコネクタ端子１９が設けられている。コネクタ端子１９の一端は、後述する回路基板２０に接続されている。
【００３１】
ここで、ベース部７１の開口部７１ａには、回路基板２０が収納されている。また、ベース部７１の開口部７１ａには、ハウジング本体４の後面が露出した状態で配置されている。ハウジング本体４のベース部４ａには、後端面の外周縁に位置決めピン２３が複数一体成形されており、ここに回路基板２０が位置決めされた状態で固定されている。
【００３２】
回路基板２０には、不図示のプリント配線などが施されている。このプリント配線の一部にコネクタ端子１９が接続されている。また、プリント配線には、ステータ１１のティース１４に巻装されたコイル１６の端末部がターミナル２４を介して接続されている。これにより、コネクタ端子１９とコイル１６が電気的に接続され、外部電源の電力を回路基板を介してコイル１６に供給できる。
【００３３】
さらに、回路基板２０には、ロータ２５の回転位置を検出するための回転位置検出素子として、ホールＩＣ２６が実装されている。ホールＩＣ２６は、ロータ２５の周壁３１の端部、つまり、ロータ２５の後端に対向する位置に配置されている。ロータ２５の周壁３１の着磁の配向は極異方性であるので、ホールＩＣ２６は、周壁３１と対向する位置のうち、周壁３１の内周面寄りに配置される。このように配置することで、ロータ２５が回転することによる磁極の変化を確実に検出することができる。
【００３４】
ベース部７１の開口部７１ａには、回路基板２０を配設した後、充填材Ｊが充填されるようになっている。これによって、開口部７１ａが充填材Ｊによって封止される。
この他に、ベース部７１には、側壁７１ｃに電動ポンプ１を外部機器に取り付けるための取り付けステー５９が３箇所一体形成されている。取り付けステー５９には、ボルト（不図示）などを挿通するための挿通孔５９ａがそれぞれ形成されている。
【００３５】
次に、電動ポンプ１の組み立て手順の一例について説明する。
まず、支軸２７をインサート成型したハウジング本体４に、ステータ１１を組み付ける。そして、支軸２７の突出した部位にロータ２５を挿入する。このとき、ロータ２５の磁石部３１を隔壁部７側に向け、支軸２７にロータ２５を挿入する。
続いて、支軸２７にロータ２５を挿入した状態で、支軸２７をカバー５側に向け、カバー５の後側からハウジング本体４をインロー嵌合させる。
【００３６】
このとき、ハウジング本体４の外フランジ部６１をカバー５のカバー５の第二拡径部７７に嵌め込むようにしてハウジング本体４とカバー５とをインロー嵌合するので、ハウジング本体４の芯出しを容易に行うことができる。また、ハウジング本体４をインロー嵌合した時点で支軸２７の他端にスピナー４５が装着された状態になる。
【００３７】
ここで、ハウジング本体４は芯出しが行われた状態でカバー５にインロー嵌合されるので、支軸２７の他端を確実にスピナー４５の挿入凹部４６に挿入することができる。
なお、実際の加工上、ハウジング本体４とカバー５の製作制度を同一に保つのは困難であり、スピナー４５と支軸２７の相対位置関係を全ての製品で同一に設定するのは困難である。このため、スピナー４５の挿入凹部４６の直径を支軸２７の軸径よりも若干大きく設定することが望ましい。このようにすることで、スピナー４５の挿入凹部４６ｂに、よりスムーズに支軸２７の他端を挿入することが可能になる。
【００３８】
カバー５にハウジング本体４をインロー嵌合した後、インロー部７８の露出部分を溶着することにより、ハウジング本体４とカバー５とを一体化する。
続いて、カバー５のベース部７１に回路基板２０を組み付ける。そして、コネクタ端子１９、およびコイル１６に接続されているターミナル２４をそれぞれ回路基板２０に接続する。この後、ベース部７１の開口部７１ａに充填材Ｊを充填し、開口部７１ａを封止する。これにより、電動ポンプ１の組み立てが完了する。なお、電動ポンプ１の組み立て手順はこれに限られるものではなく、各部品の組み付け順序は適宜変更可能である。
【００３９】
次に、電動ポンプ１の動作について説明する。
まず、ステータ１１のコイル１６に電力を供給するとティース１４に磁界が発生し、ロータ２５の周壁３１との間に磁気的な吸引力や反発力が生じてロータ２５が回転する。このとき、支軸２７は、ハウジング本体４の隔壁部７に形成されている支柱９とスピナー４５とで両端が支持され、両持ち状態になっている。このため、支軸２７の固定強度が高まり、ロータ２５の触れ回りが抑制される。
【００４０】
ロータ２５が回転することにより、インペラ部３０が支軸２７を中心にして回転する。すると、冷却水路４０内に負圧が発生し、吸入ポート３７から流入される冷却水が冷却水路４０を介して吐出ポート４１から吐出される。吐出ポート４１から吐出された冷却水は、例えば、ラジエータ（不図示）の冷却水路を介して循環される。
なお、冷却水は一方向のみに循環すればよいので、ロータ２５は一方向のみに回転すればよく、また、ホールＩＣ２６もロータ２５の一方向の回転のみ検出できるように構成されていればよい。
【００４１】
ここで、冷却水路４０は、ハウジング本体４とカバー５とを重ね合わせることで、ポンプカバー部７２のカバー本体７３とベース部４ａの隔壁部７との間に形成される。このため、例えば、インロー部７８の溶着状態が不十分で、かつ冷却水路４０内の水圧が高まった場合、インロー部７８のハウジング本体４とカバー５との合わせ面７９を冷却水が伝って外部に漏れるおそれがある。しかしながら、合わせ面７９には、ラビリンス構造８０が設けられた状態になっているので、これが冷却水が流出する際の抵抗となって外部への漏れを防止することができる。
【００４２】
しかも、仮に合わせ面７９を伝って冷却水が外部に漏れたとしてもインロー部７８の合わせ面７９は、後側、つまり、ベース部７１の開口部７１ａ側に露出した状態になっているので、コネクタ部１７への被水を確実に防止できる。
これに加え、ベース部７１の開口部７１ａには、充填材Ｊが充填され、封止された状態になっているので、回路基板２０への冷却水の被水も防止できる。
【００４３】
したがって、上述の実施形態によれば、ハウジング本体４のベース部４ａ、外フランジ部６１、カバー本体７３の第一拡径部７６、および第二拡径部７７により、ハウジング本体４とカバー５とをインロー嵌合するためのインロー部７８が構成されているので、ハウジング本体４とカバー５との芯出しを容易に行うことができる。また、作業者によってハウジング本体４とカバー５と組み付け誤差が生じるのを防止することができる。このため、組み付け作業性を向上させることができると共に、安定した製品を供給することが可能な電動ポンプ１を提供することが可能になる。
【００４４】
さらに、インロー部７８のハウジング本体４とカバー５との合わせ面７９には、ラビリンス構造８０が設けられた状態になっているので、合わせ面７９からの冷却水の漏れを確実に防止することができる。このため、ハウジング本体４とカバー５とを重ね合わせることで形成された冷却水路４０の水密性を高めることができ、信頼性の高い電動ポンプ１を提供することが可能になる。
【００４５】
そして、インロー部７８の合わせ面７９は、後側、つまり、ベース部７１の開口部７１ａ側に露出した状態になっていると共に、開口部７１ａを充填材Ｊで充填しているので、インロー部７８の合わせ面７９からの冷却水の漏れをより確実に防止することができると共に、コネクタ部１７に冷却水が被水するのを確実に防止することができる。このため、さらに信頼性の高い電動ポンプ１を提供することが可能になる。
【００４６】
なお、本発明は上述の実施形態に限られるものではなく、本発明の趣旨を逸脱しない範囲において、上述の実施形態に種々の変更を加えたものを含む。
また、上述の実施形態では、ロータ２５は、略円板状に形成されたインペラ部３０と、インペラ部３０の外周縁に後側に向かって突設されたリング状の磁石部３１とが一体成形されているものである場合について説明した。しかしながら、これに限られるものではなく、ロータ２５全体を磁性粉が含有された樹脂（例えば、フェライトボンド）で有底筒状に形成し、周壁のみに着磁を施してもよい。この場合、ロータ２５のエンド部（底壁）に羽根部５１を一体成形し、エンド部をインペラ部３０として構成すればよい。
【００４７】
さらに、上述の実施形態では、ベース部７１の開口部７１ａに充填材Ｊを充填し、開口部７１ａを充填材Ｊによって封止する場合について説明した。しかしながら、これに限られるものではなく、少なくともインロー部７８の合わせ面７９の露出した部位を充填材Ｊによって封止すればよい。
【図面の簡単な説明】
【００４８】
【図１】本発明の実施形態における電動ポンプの上面図である。
【図２】図１のＡ−Ａ線に沿う断面図である。
【図３】本発明の実施形態における電動ポンプの下面図である。
【符号の説明】
【００４９】
１  電動ポンプ
２  ハウジング
３  ポンプ部
４  ハウジング本体（第一ハウジング）
５  カバー（第二ハウジング）
７  隔壁部
７ａ  エンド部（前面側）
１０  電動モータ
１１  ステータ
１７  コネクタ部
２５  ロータ
３０  インペラ部（インペラ）
５１  羽根部
６１  外フランジ部
７５  嵌合部
７６  第一拡径部
７７  第二拡径部
７８  インロー部
７９  合わせ面
８０  ラビリンス構造
Ｊ  充填材
Ｍ  モータ部
Ｐ  ポンプ室
【図１】
2010156223.tif 000003
【図２】
2010156223.tif 000004
【図３】
2010156223.tif 000005